(57)【要約】【課題】複雑な機構が不要で、部品の取付に精度が要求されず、粘着シート体に粘着した塵埃の影響を受けずに、最外周の粘着シートを簡単に切り取る。【解決手段】ローラー部２と、多重巻きとされた粘着シート３１からなる粘着シート体３とを備えたローラー型清掃具１であって、ローラー部２は、ローラー本体２１と切断部材２２とを備え、粘着シート体３には切込部３３が設けられている。粘着シート体３は、周方向における切込部３３の位置を、ローラー部２のスリット２１３の位置に合わせた状態として、内部にローラー本体２１を包含してローラー本体２１の外周部２１１に取り付けられる。切断部材２２は、カッター部２２２がローラー本体２１のスリット２１３及び粘着シート体３の切込部３３を径方向に貫通した状態で、スリット２１３及び切込部３３に沿って移動自在に、ローラー本体２１の径方向内部に取り付けられる。【選択図】図２
2019165848.tif 000002
【特許請求の範囲】
【請求項１】
ローラー部と、多重巻きとされた粘着シートからなる粘着シート体と、を備えたローラー型清掃具であって、
前記ローラー部は、
前記粘着シート体が取り付けられる外周部と、前記外周部の径方向内部に設けられ、操作者によって把持される把手を前記ローラー部が回転可能に取り付けるための取付部と、前記ローラー部の回転軸が延びる方向である軸方向に延びて前記外周部に設けられたスリットと、を備えるローラー本体と、
前記軸方向に延びるシャフト部と、前記軸方向における前記シャフト部の一端部側に、前記シャフト部に対して直交する方向に突出させて設けられるカッター部とを有し、前記カッター部が前記スリットの内部に入り込み可能となる状態で前記スリットに沿って前記軸方向に移動自在として、前記ローラー本体の径方向内部に取り付けられた切断部材とを備え、
前記粘着シート体は、
前記軸方向に延び、径方向における内部に空間が形成されたロール状とされ、
周方向における一部領域に、外周面から前記径方向に前記空間まで貫通して前記軸方向に延びる切込部が設けられ、
前記周方向における前記切込部の位置を、前記ローラー部の前記スリットの位置に合わせた状態として、前記内部に前記ローラー本体を包含して前記ローラー本体の前記外周部に取り付けられ、
前記切断部材は、前記カッター部が前記ローラー本体の前記スリット及び前記粘着シート体の前記切込部を前記径方向に貫通した状態で、前記スリット及び前記切込部に沿って前記軸方向に移動自在に、前記ローラー本体の径方向内部に取り付けられるローラー型清掃具。
【請求項２】
前記ローラー本体には、前記スリットに沿って前記軸方向に延び、前記周方向に曲がる可撓性を有するシート状部材が、前記スリットを形成する前記外周部の一端に当該一端を覆って設けられ、前記シート状部材は、前記ローラー本体の前記外周部に取り付けられた前記粘着シート体の前記切込部を通って前記外周面よりも前記径方向に突出させて設けられ、
前記切断部材は、前記カッター部が前記スリット及び前記切込部の内部において前記シート状部材に沿う状態で前記軸方向に移動自在として、前記ローラー部の径方向内部に取り付けられている請求項１に記載のローラー型清掃具。
【請求項３】
前記ローラー本体は、前記軸方向における端部の前記径方向内部に、前記軸方向において前記カッター部の幅よりも大きい形状とされた凹部を有し、
前記切断部材は、前記軸方向において、前記ローラー部の前記外周部に取り付けられた前記粘着シート体の前記軸方向の端部よりも外側となる位置まで前記カッター部及び前記シャフト部が前記軸方向に移動可能として、前記ローラー部の径方向内部に取り付けられ、
前記シャフト部は、前記カッター部が前記軸方向において前記粘着シート体の端部よりも前記軸方向に外側となる位置に移動した状態で、軸周りに回転可能に前記ローラー本体の径方向内部に設けられ、
前記切断部材は、前記シャフト部が前記軸周りに回転して、前記カッター部が前記周方向において前記スリット及び前記切込部の位置から外れて位置する状態のときに、前記軸方向において前記凹部内に向けて移動可能とされている請求項２に記載のローラー型清掃具。
【請求項４】
前記ローラー部の前記取付部に取り付けられた前記把手を更に備え、
前記ローラー部は、前記把手部に対して前記軸周りに回転自在に構成されている請求項１乃至請求項３のいずれかに記載のローラー型清掃具。
【発明の詳細な説明】
【技術分野】
【０００１】
本発明は、ローラー型清掃具に関し、特に、多重巻きとされた粘着シートを最外周のものから１枚ずつ支障なく剥がすための技術に関する。
【背景技術】
【０００２】
ロール状に多重巻きとされた粘着シートを床面等で転がすことにより、床面等の塵埃を粘着させて除去するローラー型清掃具が知られている。このローラー型清掃具は、最外周の粘着シートの粘着力が低下した際には、ユーザーが最外周の粘着シートを剥がして、当該粘着シートに予め設けられているミシン目に沿って、最外周の粘着シートを切り離すことで、次周の粘着シートが露出して、再び塵埃の粘着が可能になる。しかしながら、このようなローラー型清掃具は、髪の毛等の塵埃が上記ミシン目を跨がって粘着シートに粘着すると、最外周の粘着シートをミシン目に沿って切り離して剥がすことが困難になる。
【０００３】
このため、例えば、特許文献１に示されるように、操作ロッドの先端部にローラーを回転自在に設け、剥離紙の表面に粘着剤が塗布された粘着シートを前記ローラーの外周に多重巻きしてなるローラー形粘着清掃具であって、ローラーの半径方向外方において該ローラーの軸方向に延びるレールを設け、その端部を前記操作ロッドに連結し、当該レールにスライダーを長手方向に摺動可能に設け、該スライダーにローラー方向に突出するカッターを設けることで、最外周の粘着シートに粘着した塵埃を最外周の粘着シートと共に切断するローラー形粘着清掃具が提案されている。
【先行技術文献】
【特許文献】
【０００４】
【特許文献１】特開平１０−２１６０６６号公報
【発明の概要】
【発明が解決しようとする課題】
【０００５】
しかしながら、上記特許文献１に記載のローラー形粘着清掃具の場合、最外周の粘着シートに粘着した塵埃を最外周の粘着シートと共に切断可能にするために、多重巻きとされた粘着シートの最外周部分に対向する位置に上記レール及びカッターを設ける構成を採るため、この状態で粘着シートを回転可能とするには、特許文献１の図１等に示されるように、複雑な機構を備える必要がある。また、上記カッターのスライドにより最外周の粘着シートのみを的確に切り取るには、最外周の粘着シートに対して径方向におけるカッターの取付位置に精度が要求されることになる。
【０００６】
本発明は、上記の事情に鑑みなされたものであり、複雑な機構が不要で、部品の取付に精度が要求されることなく、粘着シート体に粘着した塵埃の影響を受けずに、最外周の粘着シートを簡単に切り取り可能にすることを目的とする。
【課題を解決するための手段】
【０００７】
本発明の一局面に係るローラー型清掃具は、ローラー部と、多重巻きとされた粘着シートからなる粘着シート体と、を備えたローラー型清掃具であって、
前記ローラー部は、
前記粘着シート体が取り付けられる外周部と、前記外周部の径方向内部に設けられ、操作者によって把持される把手を前記ローラー部が回転可能に取り付けるための取付部と、前記ローラー部の回転軸が延びる方向である軸方向に延びて前記外周部に設けられたスリットと、を備えるローラー本体と、
前記軸方向に延びるシャフト部と、前記軸方向における前記シャフト部の一端部側に、前記シャフト部に対して直交する方向に突出させて設けられるカッター部とを有し、前記カッター部が前記スリットの内部に入り込み可能となる状態で前記スリットに沿って前記軸方向に移動自在として、前記ローラー本体径方向内部に取り付けられた切断部材とを備え、
前記粘着シート体は、
前記軸方向に延び、径方向における内部に空間が形成されたロール状とされ、
周方向における一部領域に、外周面から前記径方向に前記空間まで貫通して前記軸方向に延びる切込部が設けられ、
前記周方向における前記切込部の位置を、前記ローラー部の前記スリットの位置に合わせた状態として、前記内部に前記ローラー本体を包含して前記ローラー本体の前記外周部に取り付けられ、
前記切断部材は、前記カッター部が前記ローラー本体の前記スリット及び前記粘着シート体の前記切込部を前記径方向に貫通した状態で、前記スリット及び前記切込部に沿って前記軸方向に移動自在に、前記ローラー本体の径方向内部に取り付けられるものである。
【発明の効果】
【０００８】
本発明によれば、複雑な機構が不要で、部品の取付に精度が要求されることなく、粘着シート体に粘着した塵埃の影響を受けずに、最外周の粘着シートを簡単に切り取ることが可能になる。
【図面の簡単な説明】
【０００９】
【図１Ａ】本発明の一実施形態に係るローラー型清掃具の外観を示す斜視図である。
【図１Ｂ】本発明の一実施形態に係るローラー型清掃具の外観を示す斜視図であって、粘着シート体を取り外した状態を示す斜視図である。
【図２】ローラー型清掃具を構成する各部を分解して示す斜視図である。
【図３】切断部材が取り付けられていないローラー本体の側面図である。
【図４】切断部材が取り付けられた状態のローラー本体の側面図である。
【図５】ローラー本体に取り付けられた切断部材のカッター部がローラー本体及び粘着シート体よりも外側に出ている状態を示す斜視図である。
【図６】図５とは異なる姿勢で、切断部材のカッター部がローラー本体及び粘着シート体よりも外側に出ている状態を示す斜視図である。
【図７】カッター部がローラー部及び粘着シート体の内部に収めっている状態を示す斜視図である。
【図８】粘着シート体の外周において、シート状部材及び切込部を跨いで、髪の毛等の長さを有する塵埃が粘着した状態を示す斜視図である。
【発明を実施するための形態】
【００１０】
以下、本発明の一実施形態に係るローラー型清掃具について図面を参照して説明する。図１Ａは本発明の一実施形態に係るローラー型清掃具の外観を示す斜視図である。図１Ｂは、本発明の一実施形態に係るローラー型清掃具の外観を示す斜視図であって、粘着シート体を取り外した状態を示す斜視図である。図２はローラー型清掃具を構成する各部を分解して示す斜視図である。図３は切断部材が取り付けられていないローラー本体の側面図である。図４は、切断部材が取り付けられた状態のローラー本体の側面図である。
【００１１】
本発明の一実施形態に係るローラー型清掃具１は、ローラー部２と、粘着シート体３とを備える。更に、ローラー部２には、操作者によって把持される把手４が取り付けられる。すなわち、ローラー部２及び粘着シート体３に更に把手４を加えた形態もローラー型清掃具１である。
【００１２】
粘着シート体３は、多重巻きとされた粘着シート３１からなる。ローラー型清掃具１は、操作者による操作で粘着シート体３が床面等で転がることにより、粘着シート体３をなす最外周の粘着シート３１の表面（外周面３０）に床面等の塵埃を粘着させて除去する。
【００１３】
ローラー部２は、ローラー本体２１と、切断部材２２とを備える。
【００１４】
ローラー本体２１は、円柱状の部材からなり、回転軸２０１を回転中心として回転可能な形状とされている。ローラー本体２１は、外周部２１１と、取付部２１２と、スリット２１３とを有する。
【００１５】
外周部２１１には、当該外周部２１１を覆うようにして粘着シート体３が取り付けられる。外周部２１１は、粘着シート体３が取り付けられたとき、粘着シート体３に密着して、粘着シート体３をその内側から支持する。
【００１６】
取付部２１２は、操作者によって把持される把手４を、ローラー部２が回転可能な状態で支持する。取付部２１２は、ローラー本体２１の内部に設けられている。取付部２１２は、ローラー本体２１の内部に設けられている壁面２１５と、当該壁面２１５に形成されている孔部２１６とを備える。
【００１７】
取付部２１２は、ローラー本体２１の回転軸２０１の延びる方向（以下、軸方向という）における一端部側と他端部側の２つの位置にそれぞれ設けられている。各孔部２１６は、その径が、把手４の軸部４１の径よりもわずかに大きく形成されている。そして、把手４の軸部４１が、ローラー本体２１の軸方向における上記２つの位置に設けられている各取付部２１２の孔部２１６の両方を軸方向に貫通させて取り付けられる。
【００１８】
更に、この状態で、把手４の軸部４１の先端であって、取付部２１２から突出する部分にキャップ２１７が嵌着される。キャップ２１７は、取付部２１２の一部である。キャップ２１７は、その外形が径方向において孔部２１６よりも大きいため、軸部４１の先端に嵌着されると、このキャップ２１７が孔部２１６及び壁面２１５に係止して、軸部４１が軸方向に移動することを抑止する。このため、把手４の軸部４１はローラー本体２１から外れないようにしてローラー本体２１に取り付けられる。このように、取付部２１２に把手４が取り付けられた状態では、孔部２１６が軸部４１よりも大きな径とされていることから、軸部４１に対してローラー本体２１が回転可能となる。
【００１９】
スリット２１３は、軸方向に延びるものとして、ローラー本体２１の外周部２１１に設けられている。スリット２１３は、ローラー本体２１の外周部２１１を軸方向に一端部から他端部までに達する長さで形成されている。周方向におけるスリット２１３の幅は、切断部材２２の刃部２２２Ａの厚さ及びシート状部材２１８の厚さ合計よりも大きい幅とされている。
【００２０】
ローラー本体２１の外周部２１１であって、軸方向における一端部は、粘着シート体３の装着時に粘着シート体３の内周面に密着する装着面２１１Ａとされている。また、ローラー本体２１の他端部にも、粘着シート体３の内周面に密着する装着面２１１Ｂが形成されている。
【００２１】
ローラー本体２１において、軸方向において装着面２１１Ａ，２１１Ｂの間となる部分には、粘着シート体３装着時に粘着シート体３をその内周面から支持する平板状の支持部材２１９が、外縁部を円周形状に合わせた形状として設けられている。
【００２２】
また、装着面２１１Ａの径方向内部には、軸方向に凹む形状を有する凹部２１４が形成されている。
【００２３】
次に、粘着シート体３を説明する。粘着シート体３は、軸方向に延び、径方向内部に空間ＳＰが形成されたロール状とされている。粘着シート体３の最内周部分には、厚紙等により形成されて硬度を有する芯３２が取り付けられている。すなわち、粘着シート３１は、芯３２を有し、芯３２の周りに多重に巻き付けられて多重層となることで粘着シート体３を形成する。
【００２４】
更に、粘着シート体３には、周方向における一部領域に、外周面から径方向に空間ＳＰまで貫通し、軸方向に粘着シート体３の一端部から他端部まで延びるスリット状の切込部３３が設けられている。この切込部３３は、粘着シート３１を多重巻きとして粘着シート体３を形成させた後に、粘着シート体３の周方向における一部領域を切り欠いて形成される。周方向における切込部３３の幅は、ローラー本体２１のスリット２１３の幅と同一の幅とされることが好ましい。操作者は、粘着シート体３の最外周の粘着シート３１に粘着力がなくなったとき、当該切込部３３から、最外周の粘着シート３１の端部を剥がし、粘着シート体３から取り去る。このとき、最外周の粘着シート３１の他端部は、切込部３３を形成しており、多重層をなす他の粘着シート３１とは繋がっていないため、簡単に当該最外周の粘着シート３１を粘着シート体３から剥がして取り去ることができる。
【００２５】
粘着シート体３内部の芯３２に形成されている空間ＳＰは円柱状とされている。また、芯３２の内径はローラー本体２１外形の径と同等に形成されている。粘着シート体３をローラー本体２１の外周部２１１に取り付ける際には、ローラー本体２１を粘着シート体３の一端部から空間ＳＰ内に挿入する。これにより、ローラー本体２１の外周部２１１に、粘着シート体３の芯３２の内周部が嵌着して、ローラー本体２１に粘着シート体３が固定される。このように粘着シート体３をローラー本体２１に取り付ける際には、ローラー本体２１のスリット２１３と、粘着シート体３の切込部３３の周方向の位置を一致させて取り付けられる。
【００２６】
また、ローラー本体２１のスリット２１３には、シート状部材２１８が取り付けられている。シート状部材２１８は、軸方向に延びる形状とされ、可撓性を有する例えば合成樹脂からなる薄型のフィルム素材である。シート状部材２１８は、例えば、スリット２１３の軸方向全長に亘る長さを有する。
【００２７】
シート状部材２１８は、スリット２１３を形成する外周部２１１の一端２１Ａに、当該一端２１Ａを覆って取り付けられている。シート状部材２１８は、ローラー部２に粘着シート体３が取り付けられたときに、粘着シート体３の切込部３３を通って、粘着シート体３の外周面３０よりも突出する長さを径方向に有する。
【００２８】
次に、切断部材２２を説明する。切断部材２２は、シャフト部２２１と、カッター部２２２とを備える。
【００２９】
シャフト部２２１は、棒状の部材からなり、例えば合成樹脂により形成されている。例えば、シャフト部２２１は、切断部材２２をローラー本体２１に取り付けてカッター部２２２が凹部２１４内に収まる状態のときに、持手部２２３が軸方向においてローラー本体２１よりも外側に位置する程度の長さとされる。なお、シャフト部２２１は、ローラー本体２１の軸方向における全長よりも短い長さとすることも可能である。
【００３０】
カッター部２２２は、例えば炭素工具鋼により形成される。カッター部２２２は、シャフト部２２１の長さ方向における一端部側に、シャフト部２２１に対して直交する方向に突出させて取り付けられている。カッター部２２２は、取り付けられているシャフト部２２１の一端部とは反対側の他端部を向く側部が、刃部２２２Ａとされている。また、シャフト部２２１の当該他端部には持手部２２３が設けられている。持手部２２３は、操作者がつまみ易いように平板状とされている。
【００３１】
また、ローラー本体２１の内部には、例えばスリット２１３内に、切断部材２２のシャフト部２２１を支持する支持部２５が設けられている。この支持部２５は、図３の側面図に示すように、側面視で、２つの壁面２１５に形成された細長形状の開口部２０２１を有する。開口部２０２１の端部２０２１Ａは半円形状とされており、半円形状部分の径はシャフト部２２１の径よりもわずかに大きく形成されている。更に、支持部２５として、２つの壁面２１５に設けられた各開口部２０２１を軸方向に繋ぐ例えば半円形状からなるガイド部２０２２が、スリット２１３内に設けられている。このガイド部２０２２は、切断部材２２のシャフト部２２１の下部を支持すると共に、切断部材２２が軸方向に移動する際の移動方向を案内する。ガイド部２０２２は、ローラー本体２１の外周部２１１側はスリット２１３に通じて開口を有する。
【００３２】
図４に示すように、切断部材２２は、そのシャフト部２２１がローラー本体２１のスリット２１３から径方向にローラー本体２１内に入れられ、開口部２０２１の端部２０２１Ａ及びガイド部２０２２にシャフト部２２１が載置されて、支持部２５に収められる。このようにシャフト部２２１が支持部２５に収まっているとき、シャフト部２２１は端部２０２１Ａ及びガイド部２０２２により回転軸２０１側の側部が支持される。このとき、切断部材２２のシャフト部２２１は、ローラー本体２１の軸方向長さよりも長い長さを有するため、刃部２２２Ａは、軸方向において、ローラー本体２１の端部よりも外側に位置し、更に、持手部２２３が軸方向においてローラー本体２１の他端部よりも外側に位置するようにして、シャフト部２２１が支持部２５に収められる。
【００３３】
この状態で、例えば、操作者が持手部２２３をつまんでシャフト部２２１を回転させ、刃部２２２Ａが周方向においてスリット２１３及び切込部３３と同一の位置となる姿勢に回転させた上で、更に、持手部２２３をローラー本体２１とは反対に向けて軸方向に引くと、刃部２２２Ａがスリット２１３及び切込部３３内に入り込んだ状態で、切断部材２２が支持部２５に案内されてローラー本体２１内を軸方向に移動する。
【００３４】
このとき、スリット２１３及び切込部３３は、軸方向においてそれらの一端部から他端部までに亘って設けられ、しかも、刃部２２２Ａは、粘着シート体３の外周よりも径方向に突出しているため、刃部２２２Ａは、粘着シート体３の外周からその先端部が露出した状態で、切断部材２２がローラー本体２１を軸方向に横断して移動する。
【００３５】
このように、切断部材２２は、カッター部２２２がローラー本体２１のスリット２１３及び粘着シート体３の切込部３３を径方向に貫通した状態で、スリット２１３及び切込部３３に沿って軸方向に移動自在として、ローラー本体２１の径方向内部に取り付けられている。
【００３６】
図５は、ローラー本体２１に取り付けられた切断部材２２のカッター部２２２がローラー本体２１及び粘着シート体３よりも外側に出ている状態を示す斜視図である。図６は、図５とは異なる姿勢で、切断部材２２のカッター部２２２がローラー本体２１及び粘着シート体３よりも外側に出ている状態を示す斜視図である。図７は、カッター部２２２がローラー部２及び粘着シート体３の内部に収まっている状態を示す斜視図である。
【００３７】
図５に示すように、切断部材２２のカッター部２２２が、ローラー本体２１及び粘着シート体３よりも軸方向において外側に出ているときに、操作者が持手部２２３を操作して、シャフト部２２１を軸周りに回転させると、図６に示すように、カッター部２２２が周方向においてスリット２１３及び切込部３３の位置から外れて位置する。また、ローラー本体２１に設けられている上記凹部２１４は、軸方向において、カッター部２２２の幅よりも大きい形状の凹みを有して設けられている。このため、カッター部２２２が周方向においてスリット２１３及び切込部３３の位置から外れて位置している図６に示す状態のときに、操作者が切断部材２２を、図６に示す矢印Ｂ１方向に軸方向に移動させると、カッター部２２２及び刃部２２２Ａは軸方向において凹部２１４内に収まる位置まで移動可能である。これにより、図７に示すように、カッター部２２２を、径方向において粘着シート体３の外周よりも外側に露出させることなく、軸方向においても、ローラー部２及び粘着シート体３の内部に収めることができる。
【００３８】
次に、シート状部材２１８について説明する。シート状部材２１８は、図１及び図２に示すように、スリット２１３を形成する外周部２１１の一端２１Ａに、当該一端２１Ａを覆って設けられており、かつ、ローラー本体２１に粘着シート体３が装着された状態で粘着シート体３の外周よりも外側に突出している。このため、ローラー部２に装着された状態の粘着シート体３が床面上等を転がると、粘着シート体３の周面において、回転方向に沿って撓んで変形する。このため、操作者が図１に示す矢印Ａ方向に、ローラー本体２１に装着された粘着シート体３を床面上等で回転させると、シート状部材２１８がスリット２１３を形成する外周部２１１の一端２１Ａを覆った状態で回転するため、この覆われている一端２１Ａは床面等に接触しない。これにより、床面上の塵埃が当該一端２１Ａに粘着しないため、当該一端２１Ａから、粘着シート体３の最外周の粘着シート３１の端部をつまんで持ち上げるときに塵埃が邪魔にならない。これにより、最外周の粘着シート３１を粘着シート体３から剥がしやすくなる。
【００３９】
図８は、粘着シート体３の外周において、シート状部材２１８及び切込部３３を跨いで、髪の毛等の長さを有する塵埃が粘着した状態を示す斜視図である。なお、上記のように回転させた場合であっても、ローラー型清掃具１を使用していると、図８に示すように、シート状部材２１８及び切込部３３を跨いで、髪の毛等の長さを有する塵埃ＣＨが粘着シート体３の外周に粘着することがある。このような状態では、切込部３３の端部から最外周の粘着シート３１を剥がすことが困難になる。このとき、操作者は、シャフト部２２１の持手部２２３を操作して、切断部材２２のシャフト部２２１を軸周りに回転させて、カッター部２２２が周方向においてスリット２１３及び切込部３３の位置に一致するよう回転させる。そして、操作者が切断部材２２を軸方向に移動させて、カッター部２２２を、図８の矢印方向に移動させて、粘着シート体３の軸方向一端部から他端部まで横断させて移動させると、切込部３３を跨いで粘着シート体３の最外周の粘着シート３１に粘着している髪の毛等の塵埃ＣＨが刃部２２２Ａにより切断される。これにより、切込部３３の端部から最外周の粘着シート３１を剥がす作業を簡単に行うことができる。
【００４０】
このように構成されるローラー型清掃具１の使用方法を説明する。初期状態では、ローラー部２のローラー本体２１には、上記図７に示すように、切断部材２２のカッター部２２２が、スリット２１３及び切込部３３の位置から外れた状態で、刃部２２２Ａが凹部２１４内に入り、ローラー部２及び粘着シート体３内に収まっているものとする。また、ローラー部２の取付部２１２には、持ち把手４が取り付けられているものとする。
【００４１】
この状態で、操作者は、ローラー部２に装着された状態の粘着シート体３を床面上等に置き、把手４を持って、粘着シート体３を床面上等で図１に示す矢印Ａ方向に回転するようにして移動させる。
【００４２】
このように粘着シート体３が床面上等を回転しながら移動すると、粘着シート体３の最外周の粘着シート３１に床面上等の塵埃が粘着する。このとき、粘着シート体３の切込部３３から外側に突出しているシート状部材２１８が、粘着シート体３の回転に応じて回転方向に撓むため、床面上での粘着シート体３の回転動作は妨げられない。
【００４３】
また、上記のように、シート状部材２１８が撓むとき、シート状部材２１８が取り付けられている方の切込部３３の端部は、シート状部材２１８に覆われて塵埃が粘着しないため、塵埃が多量に付着して最外周の粘着シート３１に粘着性がなくなったとき、最外周の粘着シート３１を当該端部から簡単に剥がすことができる。
【００４４】
なお、このとき、粘着シート体３の切込部３３及びシート状部材２１８を跨がって髪の毛等の塵埃ＣＨが粘着していると、最外周の粘着シート３１を剥がし難い。このように、切込部３３及びシート状部材２１８を跨がって髪の毛等の塵埃ＣＨが粘着している場合、まず、操作者は、切断部材２２の持手部２２３をつまみ、シャフト部２２１を軸方向に移動させて、カッター部２２２をローラー部２及び粘着シート体３から軸方向において外側に露出させる。
【００４５】
このようにカッター部２２２をローラー部２及び粘着シート体３から軸方向で外側に露出させた状態で、操作者は、更に、切断部材２２の持手部２２３をつまんでシャフト部２２１を軸周りに回転させて、図５に示すように、周方向において、カッター部２２２の位置をスリット２１３及び切込部３３の位置まで移動させる。
【００４６】
そして、操作者は、この状態から、切断部材２２の持手部２２３をつまんで、図５に示す矢印Ｂ２方向にシャフト部２２１を軸方向に移動させて、カッター部２２２を、ローラー部２及び粘着シート体３の端部からスリット２１３内に入り込み可能な姿勢として、カッター部２２２を、軸方向においてローラー部２及び粘着シート体３の一端部から他端部まで横断させる。このように、カッター部２２２がローラー部２及び粘着シート体３の一端部から他端部まで横断しているとき、カッター部２２２の刃部２２２Ａは、切込部３３及びシート状部材２１８を跨がって粘着している髪の毛等の塵埃ＣＨに接触すると、操作者によって軸方向へ牽引される力により、当該髪の毛等の塵埃ＣＨを切断しながら、スリット２１３に沿って、ローラー部２及び粘着シート体３の他端部に向かって移動する。
【００４７】
このように、カッター部２２２をローラー部２及び粘着シート体３の上記他端部まで移動させた後、操作者は、シャフト部２２１を軸方向に移動させて、カッター部２２２を、ローラー部２及び粘着シート体３の上記他端部からスリット２１３に沿って移動させ、ローラー部２及び粘着シート体３の上記一端部よりも外側にでる位置までカッター部２２２の位置を戻す。
【００４８】
カッター部２２２が、このようにローラー部２及び粘着シート体３の一端部よりも外側にでる位置まで移動させた状態で、操作者は、シャフト部２２１を軸周りに回転させて、周方向において、カッター部２２２をスリット２１３及び切込部３３から外れる姿勢とし、更に、シャフト部２２１を図６の矢印Ｂ１方向に移動させて、カッター部２２２が凹部２１４内に収まる位置まで移動させる（図７）。これにより、カッター部２２２を露出させない状態として、ローラー型清掃具１を使用可能になる。
【００４９】
上記実施形態によれば、複雑な機構が不要で、部品の取付に精度が要求されることなく、粘着シート体３に粘着した塵埃の影響を受けずに、最外周の粘着シート３１を粘着シート体３から簡単に切り取ることが可能になる。
【００５０】
なお、本発明は上記実施の形態の構成に限られず種々の変形が可能である。上記実施形態では、図１Ａ乃至図８を用いて上記実施形態により示した構成及び処理は、本発明の一実施形態に過ぎず、本発明を当該構成及び処理に限定する趣旨ではない。
【符号の説明】
【００５１】
１        ローラー型清掃具
２        ローラー部
２１      ローラー本体
２１１    外周部
２１１Ａ，２１１Ｂ  装着面
２１２    取付部
２１３    スリット
２１４    凹部
２１５    壁面
２１６    孔部
２１７    キャップ
２１８    シート状部材
２１９    支持部材
２２      切断部材
２２１    シャフト部
２２２    カッター部
２２２Ａ  刃部
２２３    持手部
２５      支持部
２０２１  開口部
２０２１Ａ  端部
２０２２  ガイド部
３        粘着シート体
３０      外周面
３１      粘着シート
３２      芯
３３      切込部
ＳＰ      空間
４        把手
４１    軸部
【図１Ａ】
2019165848.tif 000003
【図１Ｂ】
2019165848.tif 000004
【図２】
2019165848.tif 000005
【図３】
2019165848.tif 000006
【図４】
2019165848.tif 000007
【図５】
2019165848.tif 000008
【図６】
2019165848.tif 000009
【図７】
2019165848.tif 000010
【図８】
2019165848.tif 000011
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
ローラー部と、多重巻きとされた粘着シートからなる粘着シート体と、を備えたローラー型清掃具であって、
前記ローラー部は、
前記粘着シート体が取り付けられる外周部と、前記外周部の径方向内部に設けられ、操作者によって把持される把手を前記ローラー部が回転可能に取り付けるための取付部と、前記ローラー部の回転軸が延びる方向である軸方向に延びて前記外周部に設けられたスリットと、を備えるローラー本体と、
前記軸方向に延びるシャフト部と、前記軸方向における前記シャフト部の一端部側に、前記シャフト部に対して直交する方向に突出させて設けられるカッター部とを有し、前記カッター部が前記スリットの内部に入り込み可能となる状態で前記スリットに沿って前記軸方向に移動自在として、前記ローラー本体の径方向内部に取り付けられた切断部材とを備え、
前記粘着シート体は、
前記軸方向に延び、径方向における内部に空間が形成されたロール状とされ、
周方向における一部領域に、外周面から前記径方向に前記空間まで貫通して前記軸方向に延びる切込部が設けられ、
前記周方向における前記切込部の位置を、前記ローラー部の前記スリットの位置に合わせた状態として、前記内部に前記ローラー本体を包含して前記ローラー本体の前記外周部に取り付けられ、
前記切断部材は、前記カッター部が前記ローラー本体の前記スリット及び前記粘着シート体の前記切込部を前記径方向に貫通した状態で、前記スリット及び前記切込部に沿って前記軸方向に移動自在に、前記ローラー本体の径方向内部に取り付けられ、
前記ローラー本体には、前記スリットに沿って前記軸方向に延び、前記周方向に曲がる可撓性を有するシート状部材が、前記スリットを形成する前記外周部の一端に当該一端を覆って設けられ、前記シート状部材は、前記ローラー本体の前記外周部に取り付けられた前記粘着シート体の前記切込部を通って前記外周面よりも前記径方向に突出させて設けられ、
前記切断部材は、前記カッター部が前記スリット及び前記切込部の内部において前記シート状部材に沿う状態で前記軸方向に移動自在として、前記ローラー部の径方向内部に取り付けられているローラー型清掃具。
【請求項２】
前記ローラー本体は、前記軸方向における端部の前記径方向内部に、前記軸方向において前記カッター部の幅よりも大きい形状とされた凹部を有し、
前記切断部材は、前記軸方向において、前記ローラー部の前記外周部に取り付けられた前記粘着シート体の前記軸方向の端部よりも外側となる位置まで前記カッター部及び前記シャフト部が前記軸方向に移動可能として、前記ローラー部の径方向内部に取り付けられ、
前記シャフト部は、前記カッター部が前記軸方向において前記粘着シート体の端部よりも前記軸方向に外側となる位置に移動した状態で、軸周りに回転可能に前記ローラー本体の径方向内部に設けられ、
前記切断部材は、前記シャフト部が前記軸周りに回転して、前記カッター部が前記周方向において前記スリット及び前記切込部の位置から外れて位置する状態のときに、前記軸方向において前記凹部内に向けて移動可能とされている請求項１に記載のローラー型清掃具。
【請求項３】
前記ローラー部の前記取付部に取り付けられた前記把手を更に備え、
前記ローラー部は、前記把手部に対して前記軸周りに回転自在に構成されている請求項１又は請求項２に記載のローラー型清掃具。
【手続補正２】
【補正対象書類名】明細書
【補正対象項目名】０００７
【補正方法】変更
【補正の内容】
【０００７】
本発明の一局面に係るローラー型清掃具は、ローラー部と、多重巻きとされた粘着シートからなる粘着シート体と、を備えたローラー型清掃具であって、
前記ローラー部は、
前記粘着シート体が取り付けられる外周部と、前記外周部の径方向内部に設けられ、操作者によって把持される把手を前記ローラー部が回転可能に取り付けるための取付部と、前記ローラー部の回転軸が延びる方向である軸方向に延びて前記外周部に設けられたスリットと、を備えるローラー本体と、
前記軸方向に延びるシャフト部と、前記軸方向における前記シャフト部の一端部側に、前記シャフト部に対して直交する方向に突出させて設けられるカッター部とを有し、前記カッター部が前記スリットの内部に入り込み可能となる状態で前記スリットに沿って前記軸方向に移動自在として、前記ローラー本体の径方向内部に取り付けられた切断部材とを備え、
前記粘着シート体は、
前記軸方向に延び、径方向における内部に空間が形成されたロール状とされ、
周方向における一部領域に、外周面から前記径方向に前記空間まで貫通して前記軸方向に延びる切込部が設けられ、
前記周方向における前記切込部の位置を、前記ローラー部の前記スリットの位置に合わせた状態として、前記内部に前記ローラー本体を包含して前記ローラー本体の前記外周部に取り付けられ、
前記切断部材は、前記カッター部が前記ローラー本体の前記スリット及び前記粘着シート体の前記切込部を前記径方向に貫通した状態で、前記スリット及び前記切込部に沿って前記軸方向に移動自在に、前記ローラー本体の径方向内部に取り付けられ、
前記ローラー本体には、前記スリットに沿って前記軸方向に延び、前記周方向に曲がる可撓性を有するシート状部材が、前記スリットを形成する前記外周部の一端に当該一端を覆って設けられ、前記シート状部材は、前記ローラー本体の前記外周部に取り付けられた前記粘着シート体の前記切込部を通って前記外周面よりも前記径方向に突出させて設けられ、
前記切断部材は、前記カッター部が前記スリット及び前記切込部の内部において前記シート状部材に沿う状態で前記軸方向に移動自在として、前記ローラー部の径方向内部に取り付けられているものである。